【手続補正書】
【提出日】平成20年10月10日(2008.10.10)
【手続補正１】
【補正対象書類名】特許請求の範囲
【補正対象項目名】請求項３
【補正方法】変更
【補正の内容】
【請求項３】
前記各くし歯状電極部は、前記第１の方向に延びる２つの辺のそれぞれに、前記第２の方向に突出する箇所を複数箇所有し、
隣接する２本のくし歯状電極部の、前記２本のくし歯状電極部の間に形成されるスリットを介して対向する２つの辺の前記突出する箇所は、前記第１の方向でみた位置が同じであることを特徴とする請求項１に記載の液晶表示装置。
【手続補正２】
【補正対象書類名】特許請求の範囲
【補正対象項目名】請求項４
【補正方法】変更
【補正の内容】
【請求項４】
前記各くし歯状電極部は、前記第１の方向に延びる２つの辺のそれぞれに、前記第２の方向に突出する箇所を複数箇所有し、
隣接する２本のくし歯状電極部の、前記２本のくし歯状電極部の間に形成されるスリットを介して対向する２つの辺の前記突出する箇所は、前記第１の方向でみた位置が、１つの辺の前記突出する箇所の間隔よりも短い距離だけずれていることを特徴とする請求項１に記載の液晶表示装置。
【手続補正３】
【補正対象書類名】特許請求の範囲
【補正対象項目名】請求項５
【補正方法】変更
【補正の内容】
【請求項５】
前記各くし歯状電極部は、前記第１の方向に延びる２つの辺のそれぞれに、前記第２の方向に後退する箇所を複数箇所有し、
隣接する２本のくし歯状電極部の、前記２本のくし歯状電極部の間に形成されるスリットを介して対向する２つの辺の前記後退する箇所は、前記第１の方向でみた位置が同じであることを特徴とする請求項１に記載の液晶表示装置。
【手続補正４】
【補正対象書類名】特許請求の範囲
【補正対象項目名】請求項６
【補正方法】変更
【補正の内容】
【請求項６】
前記各くし歯状電極部は、前記第１の方向に延びる２つの辺のそれぞれに、前記第２の方向に後退する箇所を複数箇所有し、
隣接する２本のくし歯状電極部の、前記２本のくし歯状電極部の間に形成されるスリットを介して対向する２つの辺の前記後退する箇所は、前記第１の方向でみた位置が、１つの辺の前記後退する箇所の間隔よりも短い距離だけずれていることを特徴とする請求項１に記載の液晶表示装置。
【手続補正５】
【補正対象書類名】特許請求の範囲
【補正対象項目名】請求項８
【補正方法】変更
【補正の内容】
【請求項８】
隣接する２本のくし歯状電極部の、前記２本のくし歯状電極部の間に形成されるスリットを介して対向する２つの辺の前記突出する箇所および前記後退する箇所は、前記第１の方向でみた前記突出する箇所同士の位置および前記後退する箇所同士の位置が同じであることを特徴とする請求項７に記載の液晶表示装置。
【手続補正６】
【補正対象書類名】特許請求の範囲
【補正対象項目名】請求項９
【補正方法】変更
【補正の内容】
【請求項９】
隣接する２本のくし歯状電極部の、前記２本のくし歯状電極部の間に形成されるスリットを介して対向する２つの辺の前記突出する箇所および前記後退する箇所は、前記第１の方向でみた一方の辺の前記突出する箇所と他方の辺の前記後退する箇所の位置が同じであることを特徴とする請求項７に記載の液晶表示装置。
【手続補正７】
【補正対象書類名】特許請求の範囲
【補正対象項目名】請求項１２
【補正方法】変更
【補正の内容】
【請求項１２】
隣接する２本のくし歯状電極部の、前記２本のくし歯状電極部の間に形成されるスリットを介して対向する２つの辺は、一方の辺が第２の方向に突出する箇所を複数箇所有し、他方の辺が前記第２の方向に後退する箇所を複数箇所有することを特徴とする請求項１１に記載の液晶表示装置。
【手続補正８】
【補正対象書類名】特許請求の範囲
【補正対象項目名】請求項１３
【補正方法】変更
【補正の内容】
【請求項１３】
隣接する２本のくし歯状電極部の、前記２本のくし歯状電極部の間に形成されるスリットを介して対向する２つの辺は、両方とも前記第２の方向に突出する箇所を複数箇所有するか、または前記第２の方向に後退する箇所を複数箇所有することを特徴とする請求項１１に記載の液晶表示装置。
【手続補正９】
【補正対象書類名】明細書
【補正対象項目名】００１８
【補正方法】変更
【補正の内容】
【００１８】
（３）  前記（１）の液晶表示装置において、前記各くし歯状電極部は、前記第１の方向に延びる２つの辺のそれぞれに、前記第２の方向に突出する箇所を複数箇所有し、隣接する２本のくし歯状電極部の、前記２本のくし歯状電極部の間に形成されるスリットを介して対向する２つの辺の前記突出する箇所は、前記第１の方向でみた位置が同じである液晶表示装置。
【手続補正１０】
【補正対象書類名】明細書
【補正対象項目名】００１９
【補正方法】変更
【補正の内容】
【００１９】
（４）  前記（１）の液晶表示装置において、前記各くし歯状電極部は、前記第１の方向に延びる２つの辺のそれぞれに、前記第２の方向に突出する箇所を複数箇所有し、隣接する２本のくし歯状電極部の、前記２本のくし歯状電極部の間に形成されるスリットを介して対向する２つの辺の前記突出する箇所は、前記第１の方向でみた位置が、１つの辺の前記突出する箇所の間隔よりも短い距離だけずれている液晶表示装置。
【手続補正１１】
【補正対象書類名】明細書
【補正対象項目名】００２０
【補正方法】変更
【補正の内容】
【００２０】
（５）  前記（１）の液晶表示装置において、前記各くし歯状電極部は、前記第１の方向に延びる２つの辺のそれぞれに、前記第２の方向に後退する箇所を複数箇所有し、隣接する２本のくし歯状電極部の、前記２本のくし歯状電極部の間に形成されるスリットを介して対向する２つの辺の前記後退する箇所は、前記第１の方向でみた位置が同じである液晶表示装置。
【手続補正１２】
【補正対象書類名】明細書
【補正対象項目名】００２１
【補正方法】変更
【補正の内容】
【００２１】
（６）  前記（１）の液晶表示装置において、前記各くし歯状電極部は、前記第１の方向に延びる２つの辺のそれぞれに、前記第２の方向に後退する箇所を複数箇所有し、隣接する２本のくし歯状電極部の、前記２本のくし歯状電極部の間に形成されるスリットを介して対向する２つの辺の前記後退する箇所は、前記第１の方向でみた位置が、１つの辺の前記後退する箇所の間隔よりも短い距離だけずれている液晶表示装置。
【手続補正１３】
【補正対象書類名】明細書
【補正対象項目名】００２３
【補正方法】変更
【補正の内容】
【００２３】
（８）  前記（７）の液晶表示装置において、隣接する２本のくし歯状電極部の、前記２本のくし歯状電極部の間に形成されるスリットを介して対向する２つの辺の前記突出する箇所および前記後退する箇所は、前記第１の方向でみた前記突出する箇所同士の位置および前記後退する箇所同士の位置が同じである液晶表示装置。
【手続補正１４】
【補正対象書類名】明細書
【補正対象項目名】００２４
【補正方法】変更
【補正の内容】
【００２４】
（９）  前記（７）の液晶表示装置において、隣接する２本のくし歯状電極部の、前記２本のくし歯状電極部の間に形成されるスリットを介して対向する２つの辺の前記突出する箇所および前記後退する箇所は、前記第１の方向でみた一方の辺の前記突出する箇所と他方の辺の前記後退する箇所の位置が同じである液晶表示装置。
【手続補正１５】
【補正対象書類名】明細書
【補正対象項目名】００２７
【補正方法】変更
【補正の内容】
【００２７】
（１２）  前記（１１）の液晶表示装置において、隣接する２本のくし歯状電極部の、前記２本のくし歯状電極部の間に形成されるスリットを介して対向する２つの辺は、一方の辺が第２の方向に突出する箇所を複数箇所有し、他方の辺が前記第２の方向に後退する箇所を複数箇所有する液晶表示装置。
【手続補正１６】
【補正対象書類名】明細書
【補正対象項目名】００２８
【補正方法】変更
【補正の内容】
【００２８】
（１３）  前記（１１）の液晶表示装置において、隣接する２本のくし歯状電極部の、前記２本のくし歯状電極部の間に形成されるスリットを介して対向する２つの辺は、両方とも前記第２の方向に突出する箇所を複数箇所有するか、または前記第２の方向に後退する箇所を複数箇所有する液晶表示装置。